(57)【要約】【課題】  フレーム接地がない場合でもサージを遮断できるサージ遮断装置を提供する。【解決手段】  第１及び第２入力端子及び外部のソースから流入されるサージを遮断するために多様な形態の多様な数の共通モードサージ遮断部及びノーマルモードサージ遮断部を備えることを特徴とするサージ遮断装置である。したがって，フレーム接地がない状況でもセット接地を利用して外部のサージを遮断でき，ＦＡＸのような回路に適用されて１次側に流入可能なサージを遮断して２次側を保護できる。【選択図】    図１
2005094997.tif 000002
【特許請求の範囲】
【請求項１】
第１入力端子及び第２入力端子と，
前記第１入力端子及び前記第２入力端子のうち前記第１入力端子とセット接地間に連結され，前記第１入力端子と前記セット接地間に流入されるサージを遮断する第１共通モードサージ遮断部と，を備えることを特徴とする，サージ遮断装置。
【請求項２】
前記サージ遮断装置は，
前記第２入力端子と前記セット接地間に連結され，前記第２入力端子と前記セット接地間に流入されるサージを遮断する第２共通モードサージ遮断部をさらに備えることを特徴とする，請求項１に記載のサージ遮断装置。
【請求項３】
前記サージ遮断装置は，
前記第１入力端子及び前記第２入力端子間に連結され，前記第１入力端子及び前記第２入力端子間に流入されるサージを遮断する第１ノーマルモードサージ遮断部をさらに備えることを特徴とする，請求項１または２のいずれかに記載のサージ遮断装置。
【請求項４】
前記サージ遮断装置は，
前記第１入力端子と前記第２入力端子の間に連結され，前記第１入力端子と前記第２入力端子の間に，サージを遮断する第１ノーマルモードサージ遮断部をさらに備えることを特徴とする，請求項２に記載のサージ遮断装置。
【請求項５】
前記サージ遮断装置は，
第３入力端子及び第４入力端子と，
前記第３入力端子と前記セット接地間に連結され，前記第３入力端子と前記セット接地間に流入されるサージを遮断する第３共通モードサージ遮断部と，をさらに備えることを特徴とする，請求項１に記載のサージ遮断装置。
【請求項６】
前記サージ遮断装置は，
前記第４入力端子と前記セット接地間に連結され，前記第４入力端子と前記セット接地間に流入されるサージを遮断する第４共通モードサージ遮断部をさらに備えることを特徴とする，請求項５に記載のサージ遮断装置。
【請求項７】
前記サージ遮断装置は，
前記第３入力端子及び前記第４入力端子間に連結され，前記第３入力端子及び前記第４入力端子間に流入されるサージを遮断する第２ノーマルモードサージ遮断部をさらに備えることを特徴とする，請求項５または６のいずれかに記載のサージ遮断装置。
【請求項８】
前記サージ遮断装置は，
前記第３入力端子と前記第４入力端子の間に連結され，前記第２入力端子と前記第４入力端子の間に，サージを遮断する第２ノーマルモードサージ遮断部をさらに備えることを特徴とする，請求項７に記載のサージ遮断装置。
【請求項９】
前記第１入力端子及び前記第２入力端子は，それぞれ，チップコネクタとリングコネクタであることを特徴とする，請求項１に記載のサージ遮断装置。
【請求項１０】
前記第１入力端子及び前記第２入力端子は，それぞれ，ホット端子とニュートラル端子であることを特徴とする，請求項１に記載のサージ遮断装置。
【請求項１１】
前記第１入力端子及び前記第２入力端子は，それぞれ，チップコネクタとリングコネクタであり，前記第３入力端子及び前記第４入力端子は，それぞれ，ホット端子とニュートラル端子であることを特徴とする，請求項５に記載のサージ遮断装置。
【請求項１２】
前記セット接地は２次側に設けられ，
前記２次側は１次側から伝送される信号を入力し，
前記１次側は前記チップコネクタと前記リングコネクタとを通じて外部から入力した信号を前記２次側に伝達することを特徴とする，請求項９に記載のサージ遮断装置。
【請求項１３】
前記セット接地は２次側に設けられ，
前記２次側は前記１次側から伝送される直流電圧を入力し，
前記１次側は，前記ホット端子と前記ニュートラル端子とを通じて外部から入力した交流電圧を前記直流電圧に変換して前記２次側に伝達することを特徴とする，請求項１０に記載のサージ遮断装置。
【請求項１４】
前記第１ノーマルモードサージ遮断部及び前記第１共通モードサージ遮断部は，それぞれ，バリスタであることを特徴とする，請求項３に記載のサージ遮断装置。
【請求項１５】
前記第１ノーマルモードサージ遮断部及び前記第１共通モードサージ遮断部は，それぞれ，ガスチューブであることを特徴とする，請求項３に記載のサージ遮断装置。
【請求項１６】
前記第３共通モードサージ遮断部及び前記第２ノーマルモードサージ遮断部は，それぞれ，バリスタであることを特徴とする，請求項７に記載のサージ遮断装置。
【請求項１７】
前記第３共通モードサージ遮断部及び前記第２ノーマルモードサージ遮断部は，それぞれ，ガスチューブであることを特徴とする，請求項７に記載のサージ遮断装置。
【請求項１８】
第１入力端子とセット接地間に第１共通モードサージ遮断部を連結する段階と，
前記第１入力端子と前記セット接地間にサージを遮断する段階と，を備えることを特徴とする，サージ遮断方法。
【請求項１９】
前記サージ遮断方法は，
第２入力端子と前記セット接地間に第２共通モードサージ遮断部を連結する段階と，
前記第２入力端子と前記セット接地間にサージを遮断する段階と，をさらに備えることを特徴とする，請求項１８に記載のサージ遮断方法。
【請求項２０】
前記サージ遮断方法は，
前記第１入力端子と前記第２入力端子間に第１ノーマルモードサージ遮断部を連結する段階と，
前記第１入力端子と前記第２入力端子間にサージを遮断する段階と，をさらに備えることを特徴とする，請求項１９に記載のサージ遮断方法。
【発明の詳細な説明】
【技術分野】
【０００１】
本発明はＦＡＸまたはＦＡＸ動作を行う複合器のように外部から流入されるサージによって影響を受ける回路に係り，特に，このような回路に含まれてサージを遮断するサージ遮断装置に関する。
【背景技術】
【０００２】
従来のサージ遮断装置は，外部から流入されるサージを遮断するためにフレーム接地を使用した。
【０００３】
例えば，ＦＡＸのような回路に含まれる電源入力端の１次側は，外部の電源から供給される供給電圧，すなわち，交流電圧を入力して直流電圧に変換し，変換された直流電圧を２次側に伝達する。さらに，１次側は外部から流入されるサージから２次側を保護するためにサージを遮断する役割を行うサージ遮断装置を有する。これと同様に，ＦＡＸのような回路に含まれて交換器から信号を入力する信号入力端の１次側は，外部のサージから２次側を保護するためにサージ遮断装置を有する。
【０００４】
また，サージを遮断するために１次側に設けられる従来のサージ遮断装置は，チップとリング間，チップとフレーム接地間及び／またはリングとフレーム接地間にサージ保護手段，例えば，ガスチューブを設ける。しかし，フレーム接地が存在していない場合，従来のサージ遮断装置は，外部から流入されるサージを遮断できないため，サージから２次側を保護できない問題点を有している。すなわち，フレーム接地が存在せず，過度なエネルギーが１次側に流入する場合，１次側の内圧を超えるエネルギーが２次側に流入して２次端を破壊させうる。
【０００５】
【特許文献１】特開２００１−３３９８４９号公報
【特許文献２】大韓民国特許出願公開第１９９３−０１１６０６号明細書
【特許文献３】大韓民国実用新案出願公開第１９９２−００５４９３号明細書
【特許文献４】米国特許第５８３５３２６号明細書
【発明の開示】
【発明が解決しようとする課題】
【０００６】
そこで，本発明は，このような問題に鑑みてなされたもので，その目的とするところは，新規かつ改良された，フレーム接地がない場合でもサージを遮断できるサージ遮断装置を提供することにある。
【課題を解決するための手段】
【０００７】
上記課題を解決するために，本発明のある観点によれば，第１入力端子及び第２入力端子と，第１入力端子及び第２入力端子のうち第１入力端子とセット接地間に連結され，第１入力端子とセット接地間に流入されるサージを遮断する第１共通モードサージ遮断部と，を備えることを特徴とするサージ遮断装置が提供される。
【０００８】
また，上記サージ遮断装置は，第２入力端子とセット接地間に連結され，第２入力端子とセット接地間に流入されるサージを遮断する第２共通モードサージ遮断部をさらに備えてもよい。また，上記サージ遮断装置は，第１入力端子及び第２入力端子間に連結され，第１入力端子及び第２入力端子間に流入されるサージを遮断する第１ノーマルモードサージ遮断部をさらに備えてもよい。
【０００９】
さらに上記サージ遮断装置は，第３入力端子及び第４入力端子と，第３入力端子とセット接地間に連結され，第３入力端子とセット接地間に流入されるサージを遮断する第３共通モードサージ遮断部とを備えてもよい。
【００１０】
上記サージ遮断装置は，第４入力端子とセット接地間に連結され，第４入力端子とセット接地間に流入されるサージを遮断する第４共通モードサージ遮断部をさらに備えてもよい。また，上記サージ遮断装置は，第３入力端子及び第４入力端子間に連結され，第３入力端子及び第４入力端子間に流入されるサージを遮断する第２ノーマルモードサージ遮断部をさらに備えてもよい。
【００１１】
第１入力端子及び第２入力端子は，それぞれ，チップコネクタとリングコネクタであってもよい。第１入力端子及び第２入力端子は，それぞれ，ホット端子とニュートラル端子であってもよい。第１入力端子及び第２入力端子は，それぞれ，チップコネクタとリングコネクタであり，第３入力端子及び第４入力端子は，それぞれ，ホット端子とニュートラル端子であってもよい。
【００１２】
セット接地は２次側に設けられ，２次側は１次側から伝送される信号を入力し，１次側はチップコネクタとリングコネクタとを通じて外部から入力した信号を２次側に伝達してもよい。セット接地は２次側に設けられ，２次側は１次側から伝送される直流電圧を入力し，１次側は，ホット端子とニュートラル端子とを通じて外部から入力した交流電圧を前記直流電圧に変換して２次側に伝達するようにしてもよい。
【００１３】
前記第１ノーマルモードサージ遮断部及び前記第１共通モードサージ遮断部は，それぞれ，バリスタであってもよい。第１ノーマルモードサージ遮断部及び第１共通モードサージ遮断部は，それぞれ，ガスチューブであってもよい。
【００１４】
第３共通モードサージ遮断部及び第２ノーマルモードサージ遮断部は，それぞれ，バリスタであってもよい。第３共通モードサージ遮断部及び第２ノーマルモードサージ遮断部は，それぞれ，ガスチューブであってもよい。
【００１５】
上記課題を解決するために，本発明の別の観点によれば，第１入力端子とセット接地間に第１共通モードサージ遮断部を連結する段階と，第１入力端子とセット接地間にサージを遮断する段階と，を備えるサージ遮断方法が提供される。
【００１６】
上記サージ遮断方法は，第２入力端子とセット接地間に第２共通モードサージ遮断部を連結する段階と，第２入力端子とセット接地間にサージを遮断する段階と，をさらに備えてもよい。また，上記サージ遮断方法は，第１入力端子と第２入力端子間に第１ノーマルモードサージ遮断部を連結する段階と，第１入力端子と第２入力端子間にサージを遮断する段階と，をさらに備えてもよい。
【発明の効果】
【００１７】
本発明によるサージ遮断装置は，フレーム接地がない状況でもセット接地を利用して外部のサージを遮断でき，ＦＡＸのような回路に適用して１次側に流入可能なサージを遮断して２次側を保護できる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
以下，本発明によるサージ遮断装置の構成及び動作を添付した図面を参照して説明する。
【００２０】
図１は，本発明によるサージ遮断装置の１実施形態のブロック図であって，第１ノーマルモードサージ遮断部（ＮＭＳＣ：Ｎｏｒｍａｌ  Ｍｏｄｅ  Ｓｕｒｇｅ  Ｃａｎｃｅｌｌｅｒ）（ＮＭＳＣ１）１０，第１共通モードサージ遮断部（ＣＭＳＣ：Ｃｏｍｍｏｎ  Ｍｏｄｅ  Ｓｕｒｇｅ  Ｃａｎｃｅｌｌｅｒ）（ＣＭＳＣ１）１２及び第２共通モードサージ遮断部（ＣＭＳＣ２）１４またはこれらの組合せによって構成される。
【００２１】
本発明の第１実施形態によれば，サージ遮断装置は，図１に示された第１共通モードサージ遮断部（ＣＭＳＣ１）１２のみで構成してもよい。ここで，第１共通モードサージ遮断部（ＣＭＳＣ１）１２は，第１入力端子ＩＴ１１及び第２入力端子ＩＴ１２（ＩＴ：Ｉｎｐｕｔ  Ｔｅｒｍｉｎａｌ）のうち第１入力端子ＩＴ１１とセット接地１６間に連結され，一つの第１入力端子ＩＴ１１とセット接地１６間に流入されるサージを遮断する役割を行う。ここで，サージとは，例えば，落雷によって引き起こされる電気的な過度なストレス（ＥＯＳ：Ｅｌｅｃｔｒｉｃａｌ  Ｏｖｅｒ  Ｓｔｒｅｓｓ）などである。
【００２２】
本発明の他の実施形態によれば，サージ遮断装置は，図１に示された第1共通モードサージ遮断部（ＣＭＳＣ１）１２に付加して第２共通モードサージ遮断部（ＣＭＳＣ２）１４をさらに設けてもよい。ここで，第２共通モードサージ遮断部（ＣＭＳＣ２）１４は，第１端子ＩＴ１１及び第２入力端子ＩＴ１２のうち第２入力端子ＩＴ１２とセット接地１６間に連結され，第２入力端子ＩＴ１２とセット接地１６間に流入されるサージを遮断する役割を行う。
【００２３】
本発明の他の実施形態によれば，サージ遮断装置は，図１に示された第１共通モードサージ遮断部（ＣＭＳＣ１）１２及び第２共通モードサージ遮断部（ＣＭＳＣ２）１４のうち少なくとも一つに付加して第１ノーマルモードサージ遮断部（ＮＭＳＣ１）１０をさらに設けてもよい。ここで，この実施形態の第１ノーマルモードサージ遮断部（ＮＭＳＣ１）１０は，第１及び第２入力端子ＩＴ１１及びＩＴ１２間に連結され，第１及び第２入力端子ＩＴ１１及びＩＴ１２間に流入されるサージを遮断する役割を行う。
【００２４】
図２は，本発明によるサージ遮断装置の実施形態のブロック図であって，第１ノーマルモードサージ遮断部（ＮＭＳＣ１）１０及び第２ノーマルモードサージ遮断部（ＮＭＳＣ２）３０，第１共通モードサージ遮断部（ＣＭＳＣ１）１２，第２共通モードサージ遮断部（ＣＭＳＣ２）１４，第３共通モードサージ遮断部（ＣＭＳＣ３）３２及び第４共通モードサージ遮断部（ＣＭＳＣ４）３４またはこれらの組合せによって構成される。
【００２５】
図１及び図２で，同じ素子は，同じ参照番号及び参照符号を使用した。例えば，図２に示された第１及入力端子ＩＴ１１及び第２入力端子ＩＴ１２，第１ノーマルモードサージ遮断部（ＮＭＳＣ１）１０，第１共通モードサージ遮断部（ＣＭＳＣ１）１２及び第２共通モードサージ遮断部（ＣＭＳＣ２）１４，セット接地１６は，図１に示された第１入力端子ＩＴ１１及びＩＴ１２，第１ノーマルモードサージ遮断部（ＮＭＳＣ１）１０，第１共通モードサージ遮断部（ＣＭＳＣ１）１２及び第２共通モードサージ遮断部（ＣＭＳＣ２）１４，セット接地１６と同じであるので，ここでこれらについての詳細な説明は省略する。
【００２６】
本発明の実施形態によれば，サージ遮断装置は，前述した実施形態で設けられる構成要素に付加して第３共通モードサージ遮断部（ＣＭＳＣ３）３２をさらに設けうる。ここで，第３共通モードサージ遮断部（ＣＭＳＣ３）３２は，第３入力端子ＩＴ２１とセット接地３６間に連結され，一つの第２入力端子ＩＴ２１とセット接地３６間に流入されるサージを遮断する役割を行う。
【００２７】
本発明の第５実施形態によれば，サージ遮断装置は，図２に示された前記実施形態で設けられる構成要素に付加して第４共通モードサージ遮断部（ＣＭＳＣ４）３４をさらに設けうる。ここで，第４共通モードサージ遮断部（ＣＭＳＣ４）３４は，第４入力端子ＩＴ２２とセット接地３６間に連結され，第４入力端子ＩＴ２２とセット接地３６間に流入されるサージを遮断する役割を行う。
【００２８】
図２に示された本発明の実施形態によれば，サージ遮断装置は，以前の実施形態で設けられる構成要素に付加して第２ノーマルモードサージ遮断部（ＮＭＳＣ２）３０をさらに設けうる。ここで，第２ノーマルモードサージ遮断部（ＮＭＳＣ２）３０は，第３入力端子ＩＴ２１及び第４入力端子ＩＴ２２間に連結され，第３入力端子ＩＴ２１及び第４入力端子ＩＴ２２間に流入されるサージを遮断する役割を行う。
【００２９】
一方，本発明のさらに他の実施形態によれば，図１または図２に示された第１入力端子ＩＴ１１及び第２入力端子ＩＴ１２はそれぞれ，チップコネクタとリングコネクタであってもよい。または，図１または図２に示された第１入力端子ＩＴ１１及び第２入力端子ＩＴ１２はそれぞれ，リングコネクタとチップコネクタであってもよい。この場合，図１または図２に示された第１入力端子ＩＴ１１及び第２入力端子ＩＴ１２は交換器（図示せず）と連結されうる。したがって，交換器から伝送された信号がリングコネクタとチップコネクタとを通じて受け入れられる。
【００３０】
本発明の第８実施形態によれば，図１または図２に示された第１入力端子ＩＴ１１及び第２入力端子ＩＴ１２はそれぞれホット（または，リブ）端子とニュートラル端子であってもよい。または，図１または図２に示された第１入力端子ＩＴ１１及び第２入力端子ＩＴ１２は，それぞれ，ニュートラル端子とホット（または，リブ）端子であってもよい。この場合，図１に示された第１入力端子ＩＴ１１及び第２入力端子ＩＴ１２は外部の電源と連結されうる。したがって，外部の電源から供給された供給電圧がホット端子とニュートラル端子とを通じて受け入れられる。
【００３１】
本発明のさらに他の実施形態によれば，図２に示された第３入力端子ＩＴ２１及び第４入力端子ＩＴ２２は，それぞれ，ホット（または，リブ）端子とニュートラル端子であってもよい。または，図２に示された第３入力端子ＩＴ２１及び第４入力端子ＩＴ２２は，それぞれ，ニュートラル端子とホット（または，リブ）端子であってもよい。
【００３２】
本発明のさらに他の実施形態によれば，図２に示された第３入力端子ＩＴ２１及び第４入力端子ＩＴ２２は，それぞれ，リング端子とチップ端子であってもよい。または，図２に示された第３入力端子ＩＴ２１及び第４入力端子ＩＴ２２は，それぞれ，チップ端子とリング端子であってもよい。
【００３３】
したがって，図２に示された第１入力端子ＩＴ１１及び第２入力端子ＩＴ１２は，上述したように，図１または図２に示された第１入力端子ＩＴ１１及び第２入力端子ＩＴ１２がそれぞれ，チップコネクタとリングコネクタであるか，またはその逆であった場合，図２に示された第３入力端子ＩＴ２１及び第４入力端子ＩＴ２２は，上述したように，図２に示された第３入力端子ＩＴ２１及び第４入力端子ＩＴ２２が，それぞれ，ホット（または，リブ）端子とニュートラル端子である実施形態のように構成されうる。または，図２に示された第１入力端子ＩＴ１１及び第２入力端子ＩＴ１２が上述したように，図１または図２に示された第１入力端子ＩＴ１１及び第２入力端子ＩＴ１２はそれぞれ，ホット（または，リブ）端子とニュートラル端子であるか，またはその逆に当る実施形態のように構成される場合，図２に示された第３入力端子ＩＴ２１及び第４入力端子ＩＴ２２は上述したように，図２に示された第３入力端子ＩＴ２１及び第４入力端子ＩＴ２２がそれぞれ，リング端子とチップ端子であるか，またはその逆である実施形態のように構成されうる。
【００３４】
一方，本発明によるサージ遮断装置は，図１または図２に示されたサージ遮断装置に限定されない。すなわち，本発明によるサージ遮断装置は，図１に示された全ての構成要素第１ノーマルモードサージ遮断部（ＮＭＳＣ１）１０，第１共通モードサージ遮断部（ＣＭＳＣ１）１２及び第２共通モードサージ遮断部（ＣＭＳＣ２）１４を１セットとして具現されることもあり，図２に示されたように，図１に示された１セットを二つ設けて具現されることもあり，図１に示された１セットを三つ以上に多数個設けて具現されることもある。この場合，上述したように，サージ遮断装置を具現する各セットは，上述した二つの共通モードサージ遮断部のうち少なくとも一つを設けてノーマルモードサージ遮断部を付加的にさらに設けることもある。
【００３５】
一方，図１に示された本発明によるサージ遮断装置は，第１入力端子ＩＴ１１及び第２入力端子ＩＴ１２を通じて入力可能な信号や供給電圧を第１出力端子ＯＴ１１及び第２出力端子ＯＴ１２（ＯＴ：Ｏｕｔｐｕｔ  Ｔｅｒｍｉｎａｌ）と連結される部分（図示せず）に出力できる。また，図２に示された本発明によるサージ遮断装置は，第１入力端子ＩＴ１１及び第２入力端子ＩＴ１２を通じて入力可能な信号や供給電圧を第１出力端子ＯＴ１１及び第２出力端子ＯＴ１２と連結される部分（図示せず）に出力し，第３入力端子ＩＴ１２及び第４入力端子ＩＴ２２を通じて入力可能な供給電圧や信号を第３出力端子ＯＴ２１及び第４出力端子ＯＴ２２と連結される部分（図示せず）に出力する。
【００３６】
図３は，図１または図２に示された出力端子（ＯＴ１１及びＯＴ１２）または（ＯＴ１１，ＯＴ１２，ＯＴ２１及びＯＴ２２）と連結される部分の概略的な図面であって，整流器４６及び変圧器（Ｔ：Ｔｒａｎｓｆｏｒｍｅｒ）で構成される。
【００３７】
図３に示された出力端子ＯＴＸ１及びＯＴＸ２は，図１または図２に示された出力端子ＯＴ１１及びＯＴ１２となることもあり，図２に示された出力端子ＯＴ２１及びＯＴ２２となることもある。すなわち，Ｘ＝１または２である。
【００３８】
例えば，入力端子ＩＴＸ１及びＩＴＸ２がそれぞれリングコネクタとチップコネクタである場合，図３に示された整流器４６は設けられていないこともある。この時，リングコネクタとチップコネクタとを通じて外部の交換器（図示せず）から流入された信号は，出力端子ＯＴＸ１及びＯＴＸ２を通じて変圧器Ｔを経て２次側４２に伝えられる。ここで，１次側４０は，図１または図２に示されたサージ遮断装置及び変圧器Ｔを含み，チップコネクタとリングコネクタとを通じて外部から入力した信号を２次側４２に伝達する役割を行う。この時，２次側４２は，１次側４０から伝達された信号を利用して自己の固有な動作，例えば，ＦＡＸ動作を行う。
【００３９】
または，入力端子ＩＴＸ１及びＩＴＸ２がホット（または，リブ）端子とニュートラル端子である場合，図３に示された整流器４６が設けられうる。この時，出力端子ＯＴＸ１及びＯＴＸ２の両端にかかる交流電圧のように，ホット端子とニュートラル端子とを通じて外部から流入された供給電圧は，変圧器Ｔを経て，整流器４６で入力され，整流器４６によって直流電圧に変換され，変換された直流電圧は出力端子ＯＴ３１及びＯＴ３２を通じて，２次側４２に出力される。ここで，１次側４０は，図１または図２に示されたサージ遮断装置，整流器４６及び変圧器Ｔを含み，ホット端子とニュートラル端子とを通じて外部から入力した交流電圧を２次側４２で使用可能な直流電圧に変換して２次側４２に伝達する役割を行う。この時，２次側４２は，１次側４０から伝達された直流電圧を利用して自己の固有な動作を行う。
【００４０】
また，１次側４０は，サージから２次側４２を保護する役割を行う。１次側４０が供給電圧を入力する代わりに信号を入力する役割を行う場合，１次側４０は交換器（図示せず）と２次側４２間のインピーダンスを整合させる役割も行う。この時，図１または図２に示されたセット接地１６または３６は，図３に示された２次側４２に設けられたセット接地４４である。
【００４１】
一方，図１または図２に示された第１共通モードサージ遮断部（ＣＭＳＣ１）１２，第２共通モードサージ遮断部（ＣＭＳＣ２）１４，第３共通モードサージ遮断部（ＣＭＳＣ３）３２，第４共通モードサージ遮断部（ＣＭＳＣ４）３４，第１ノーマルモードサージ遮断部（ＮＭＳＣ１）１０または第２ノーマルモードサージ遮断部ＮＭＳＣ２３０は，バリスタで構成されることもあり，ガスチューブで構成されることもある。
【００４２】
一方，前述した本発明によるサージ遮断装置は，ＦＡＸ（図示せず）またはＦＡＸの動作を行える複合器（図示せず）に適用されうる。この場合，第１及び第２入力端子ＩＴ１１及びＩＴ１２はリングコネクタとチップコネクタとにそれぞれ当り，第３及び第４入力端子ＩＴ２１及びＩＴ２２はホット端子とニュートラル端子とにそれぞれ当る。
【００４３】
以下，ＦＡＸまたはＦＡＸ動作を有する複合器に内蔵可能な本発明によるサージ遮断装置の構成及び動作を添付された図面を参照して，次のように説明する。
【００４４】
図４は，本発明によるサージ遮断装置の一実施形態の回路図であって，信号入力部５０及び電源部５２より構成される。ここで，図２及び図４で，同じ素子は，同じ参照番号及び参照符号を使用した。
【００４５】
図４に示された信号入力部５０は，図２に示された第１ノーマルモードサージ遮断部（ＮＭＳＣ１）１０，第１共通モードサージ遮断部（ＣＭＳＣ１）１２及び第２共通モードサージ遮断部（ＣＭＳＣ２）１４と図３に示された回路から整流器４６を除外した部分とを結合して構成される。このような構成を有する信号入力部５０は，チップコネクタとリングコネクタとを通じて，例えば，公衆電話交換網（ＰＳＴＮ：Ｐｕｂｌｉｃ  Ｓｗｉｔｃｈｅｄ  Ｔｅｌｅｐｈｏｎｅ  Ｎｅｔｗｏｒｋ）を経て交換器（図示せず）とＦＡＸ用データとを通信する役割を行う。この時，信号入力部５０は，ＦＡＸのモデム（図示せず）に連結されるラインインターフェース部（ＬＩＵ：Ｌｉｎｅ  Ｉｎｔｅｒｆａｃｅ  Ｕｎｉｔ）となりうる。
【００４６】
また，図４に示された電源部５２は，図２に示された第２ノーマルモードサージ遮断部（ＮＭＳＣ２）３０，第３共通モードサージ遮断部（ＣＭＳＣ３）３２及び第４共通モードサージ遮断部（ＣＭＳＣ４）３４と図３に示された回路を結合して構成される。このような構成を有する電源部５２は，ホット端子とニュートラル端子とを通じて外部から供給電圧を入力してＦＡＸに供給する役割を行い，ＦＡＸの電源供給部（ＳＭＰＳ：Ｓｗｉｔｃｈｉｎｇ  Ｍｏｄｅ  Ｐｏｗｅｒ  Ｓｕｐｐｌｙ）となりうる。
【００４７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４８】
本発明はＦＡＸまたはＦＡＸ動作を行う複合機のように外部から流入されるサージによって影響を受ける回路に適用されうる。
【図面の簡単な説明】
【００４９】
【図１】本発明の実施形態にかかるブロック図である。
【図２】本発明の実施形態にかかるブロック図である。
【図３】図１または図２に示された出力端子と連結される部分の概略的な図面である。
【図４】本発明の実施形態にかかる回路図である。
【符号の説明】
【００５０】
１０    第１ノーマルモードサージ遮断部（ＮＭＳＣ１）
１２    第１共通モードサージ遮断部（ＣＭＳＣ１）
１４    第２共通モードサージ遮断部（ＣＭＳＣ２）
１６        セット接地
【図１】
2005094997.tif 000003
【図２】
2005094997.tif 000004
【図３】
2005094997.tif 000005
【図４】
2005094997.tif 000006